(57)【要約】【課題】本発明は、反転対象物用のアタッチメントに関し、従来のアタッチメントでは、対象物を傷つけたり、作業が危険であったり、反転可能にする突起物などの形状が必要であって制約があり、製造コストも嵩むこと等が課題であって、それを解決することである。【解決手段】アーム５の先端に揺動自在に取り付けられるアタッチメントの基礎部２と、前記基礎部に取り付けられた回転駆動装置３で回転される回転軸３ａに離間させて設けられる回転体３ｂと、前記両側の回転体３ｂ，３ｂのそれぞれに一端部が巻回され、他端部が反転対象物８の両端部にそれぞれ掛けられる２本のベルト４，４と、を少なくとも有してなる反転対象物用のアタッチメント１とする。【選択図】図１
2018002372.tif 000002
【特許請求の範囲】
【請求項１】
アームの先端に揺動自在に取り付けられるアタッチメントの基礎部と、
前記基礎部に取り付けられた回転駆動装置で回転される回転軸に離間させて設けられる回転体と、
前記両側の回転体のそれぞれに一端部が巻回され、他端部が反転対象物の両端部にそれぞれ掛けられる２本のベルトと、を少なくとも有してなること、
を特徴とする反転対象物用のアタッチメント。
【請求項２】
アタッチメントの基礎部に固着された軸支持用の本体部と、
前記本体部に支持された回転軸と、
前記回転軸を回転させる駆動源である回転駆動装置と、
前記回転軸の両端部に設けられたプーリーと、
前記プーリーの両方のそれぞれに掛けられた無端状のベルトと、からなること、
を特徴とする反転対象物用のアタッチメント。
【請求項３】
アタッチメントに設けた回転軸に少なくとも一対の回転体を離間させて配設し、該回転体のそれぞれに一端部を掛けた無端状のベルトを配設し、該ベルトにおける他端部のそれぞれを反転対象物に掛けて、該反転対象物を前記ベルトで吊り上げた後、前記回転体を駆動手段を介して前記回転軸で回転させることで、前記ベルトによって前記反転対象物を回転させて上下反転させること、
を特徴とする反転対象物の反転方法。
【発明の詳細な説明】
【技術分野】
【０００１】
本発明は、建設作業機械のアタッチメントに係るものであり、更に詳しくは、Ｕ字溝コンクリート体を反転させるに好適な、反転対象物の反転方法とアタッチメントに関するものである。
【背景技術】
【０００２】
従来、Ｕ字溝コンクリート体（排水溝など）を、保管状態から現場で布施するには、反転させることが必要である。即ち、前記Ｕ字溝コンクリート体は、Ｕ字の開口部を下向きにして保管し、または、運搬する。そのＵ字溝コンクリート体を現場で反転させて前記開口部を上にし、溝などに嵌装させるからである。
【０００３】
そこで、特許文献１に記載されている反転機のように、水平な竿の下にリンク材があり、そのリンク材の先端に回動可能に取り付けた把持部材が内側に回動し、当て部材が排水溝の内壁に嵌着し、この状態で吊り上げると、前記把持部材に排水溝の重みがかかり、把持部材が上方に滑り、それに連動して前記当て部材が排水溝の底部を突き上げ、その反動によって，前記排水溝が自動的に反転するように構成したものが知られている。
【先行技術文献】
【特許文献】
【０００４】
【特許文献１】特開２００３−２０１０８７号公報
【発明の概要】
【発明が解決しようとする課題】
【０００５】
しかし、従来のＵ字状排水溝用の反転機では、その筐体の構造が複雑で製造コストが嵩むものであり、更に、Ｕ字状排水溝において開口部の内側に、前記当て部材に当接する脱落防止用の突起が必要であり、当該突起の無い一般的なＵ字溝等の反転対象物に適用できないと言う制約がある。本発明に係る反転対象物の反転方法とアタッチメントは、このような課題を解決するために提案されたものである。
【課題を解決するための手段】
【０００６】
本発明に係る反転対象物用のアタッチメントの上記課題を解決して目的を達成するための要旨は、アームの先端に揺動自在に取り付けられるアタッチメントの基礎部と、前記基礎部に取り付けられた回転駆動装置で回転される回転軸に離間させて設けられる回転体と、前記両側の回転体のそれぞれに一端部が巻回され、他端部が反転対象物の両端部にそれぞれ掛けられる２本のベルトと、を少なくとも有してなることである。
【０００７】
また、本発明に係る反転対象物用のアタッチメントの要旨は、アタッチメントの基礎部に固着された軸支持用の本体部と、前記本体部に支持された回転軸と、前記回転軸を回転させる駆動源である回転駆動装置と、前記回転軸の両端部に設けられた回転体と、前記回転体の両方のそれぞれに掛けられた無端状のベルトと、からなることである。
【０００８】
本発明に係る反転対象物の反転方法の上記課題を解決して目的を達成する要旨は、アタッチメントに設けた回転軸に少なくとも一対の回転体を離間させて配設し、該回転体のそれぞれに一端部を掛けた無端状のベルトを配設し、該ベルトにおける他端部のそれぞれを反転対象物に掛けて、該反転対象物を前記ベルトで吊り上げた後、前記回転体を駆動手段を介して前記回転軸で回転させることで、前記ベルトによって前記反転対象物を回転させて上下反転させることである。
【発明の効果】
【０００９】
本発明の反転対象物の反転方法とアタッチメントによれば、重量物の反転対象物を安全で、且つ、静粛に反転・横倒し、任意の角度に傾けることができる。また、アタッチメントが簡易な構造で、部品点数も少ないことから、保管コストや製造コストを低減することができる。
【００１０】
更に、ベルトをＵ字溝コンクリート体等の反転対象物に巻き付けるので、該反転対象物において反転可能にさせるための特別な突起物などの形状が外側や内側に必要でなく、各種形状のＵ字溝コンクリート体等の反転対象物、矩形状の反転対象物など、そのほか、金属製品、木製品、合成樹脂製品などの重量物に広く適用できて、自由度が極めて大きいと言う優れた効果を奏するものである。
【図面の簡単な説明】
【００１１】
【図１】本発明に係る反転対象物用のアタッチメント１を設けた建設作業機７による使用状態の側面図（Ａ）と、そのアタッチメント１の一部正面図（Ｂ）である。
【図２】同本発明の反転対象物用のアタッチメント１の斜視図（Ａ）、正面図（Ｂ）である。
【図３】同反転対象物用のアタッチメント１の使用状態の説明図であって、パレット９上の反転対象物８の両端部に、ベルト４，４を掛けるようすを示す説明図である。
【図４】同反転対象物８用のアタッチメント１のベルト４，４で、反転対象物８を鉛直方向に沿って持ち上げた状態の説明図である。
【図５】同反転対象物８用のアタッチメント１のベルト４を回転体３ｂで回転させて、反転対象物８を反転させているようすを示す説明図（Ａ），（Ｂ）である。
【図６】同反転対象物８用のアタッチメント１で前記反転対象物８を反転させた後、その反転対象物８をパレット９に載置して、ベルト４，４を反転対象物８から外すようすを示す説明図（Ａ），（Ｂ）である。
【発明を実施するための形態】
【００１２】
本発明に係る反転対象物用のアタッチメント１は、図１に示すように、反転対象物８を少なくとも一対のベルト４，４で回転させて反転させるものである。尚、反転は、上下反転に限らず、左右反転でも、任意の角度でも良い。また、前記反転対象物８は、主に、Ｕ字溝コンクリート体であるが、それは一例にすぎず、その他の細長い重量物のコンクリート体、更に、木製、金属製若しくは合成樹脂製の細長い重量物などである。
【実施例１】
【００１３】
本発明に係るアタッチメント１の構成について詳細に説明する。アタッチメントは、図１に示すように、例えば、クローラ付きの建設作業機７におけるアーム５の先端に、油圧シリンダのロッド６の伸縮によって揺動自在にして、ピン等で前記アーム５に取り付けられるアタッチメントの基礎部２がある。図２（Ａ）に示すように、前記基礎部２は、回転軸部２ａを中心にして回動する構造で、回転軸部２ｂに連結された連結バー６ｄによって揺動されるものである。
【００１４】
前記基礎部２の先端部に取り付けられた回転駆動装置３がある。図２（Ａ），（Ｂ）に示すように、前記回転駆動装置３は、基礎部２の先端部に固着された軸支持用の本体部３ｃの上部に設けられているが、この実施例に限ることなく、例えば、前記基礎部２に回転駆動装置３を設けても良いものである。
【００１５】
前記回転駆動装置３は、例えば、油圧モータ、電動モータ等である。該回転駆動装置３で減速装置３ｄを介して回転されるもので、前記本体部３ｃに回転自在に支持された回転軸３ａがある。その回転軸３ａの両端部に離間させて回転体３ｂが設けられている。よって、両回転体３ｂ，３ｂは、回転軸３ａによって同時に同方向に回転する。
【００１６】
前記回転体３ｂは、例えば、プーリーである。この回転体３ｂの具備する数量に関しては、少なくとも、反転対象物８の端部にベルトなどを掛けて持ち上げるので、前記回転軸３ａに少なくとも２個具備されるが、３個以上具備するようにしても良い。
【００１７】
例えば、回転軸３ａの両端部に２個ずつ回転体３ｂを設けて、全部で４個の回転体３ｂにして、反転対象物８の端部を、下記の４本のベルトで安定して持ち上げるように構成しても良い。
【００１８】
そして、前記両側の回転体３ｂのそれぞれに一端部が巻回され、他端部が反転対象物８の両端部にそれぞれ平行にして掛けられる２本のベルト４がある。このベルト４は、図２（Ａ），（Ｂ）に示すように、長さの等しい平ベルトである。
【００１９】
なお、ベルト４の形状に関しては、角ベルトでも、丸ベルトでも使用可能であるが、反転対象物８の端部に掛けた状態で滑り落ちないようにするため、平ベルトが好適である。
【００２０】
また、前記ベルト４においては、その内側の摩擦係数を大きく設定して、反転対象物８が持ち上げ時に、滑らないようにすべきである。よって、ベルト４の内画面の仕上げを粗くしたり、ベルト４の構造を内層と外層との２層にして、前記内層のベルトを外層のベルトよりも摩擦係数の大きな材料で構成することもできる。
【００２１】
このように構成されるアタッチメント１は、建設作業機７のアタッチメントとして容易に着脱でき、現場での移動も自在である。また、ベルト４によって反転対象物８を反転させるので、反転対象物８の形状、大きさに対して、極めて自由度が大きく、従来例における特殊な形状の反転対象物にしか適用できない専用の反転装置とは大きく異なり、本発明に係るアタッチメント１は、コストパフォーマンスが良い。
【実施例２】
【００２２】
本発明に係るアタッチメント１を使用して、図３乃至図６を参照して、その使用方法を説明する。先ず、図３に示すように、アタッチメント１のベルト４，４の他端部を、それぞれ、一例としてＵ字溝コンクリー体である反転対象物８に掛ける。
【００２３】
前記反転対象物８は、Ｕ字溝の開口部を下にしてパレット９の上に載置され、該反転対象物８の両端部がパレット９の端部から突出している。この状態であれば、前記ベルト４を掛けやすいものである。
【００２４】
図４に示すように、建設作業機７のアームを上に上げて、アタッチメント１のベルト４，４で反転対象物８を持ち上げる。図５（Ａ），（Ｂ）に示すように、回転駆動装置３を駆動させ、回転体３ｂ，３ｂを同時に一方向に回転させる。
【００２５】
減速装置３ｄを介して前記回転体３ｂ，３ｂがゆっくりと回転し、ベルト４，４が同時に一方向に回転し、それに従って反転対象物８が回転して、図５（Ｂ）に示すように、９０°程度回転する。
【００２６】
更に、図６（Ａ）に示すように、反転対象物８を１８０°回転させ、Ｕ字溝の開口部を鉛直方向で上にする。その後、前記パレット９の上に前記反転した反転対象物８を載置する。図６（Ｂ）に示すように、前記反転対象物８の両端部から掛けていたベルト４，４の他端部を外す。
【００２７】
以上のように、本発明に係る反転対象物用の反転方法は、アタッチメント１に設けた回転軸３ａに少なくとも一対の回転体３ｂを離間させて配設し、該回転体３ｂのそれぞれに一端部を掛けた無端状のベルト４を配設し、該ベルト４における他端部のそれぞれを反転対象物８に掛けて、該反転対象物８を前記ベルト４で吊り上げた後、前記回転体３ｂを駆動手段（回転駆動装置３）を介して前記回転軸３ａで回転させることで、前記ベルト４によって前記反転対象物８を回転させて上下反転させるのである。尚、反転対象物８を上下反転させなくても、９０°横倒しにしたり、任意の角度に倒したり、等することも可能である。
【産業上の利用可能性】
【００２８】
本発明に係る反転対象物用の反転方法とそのアタッチメントによれば、ベルトにより対象物を上下反転、横倒し、任意の角度に回転させることができるので、対象物の形状を選ばず、幅広い反転対象物を回転させることができる。
【符号の説明】
【００２９】
１          反転対象物用のアタッチメント、
２          取付基礎部、                
２ａ，２ｂ  回転軸部、
３          回転駆動装置、              ３ａ        回転軸、
３ｂ        回転体（プーリー）、        ３ｃ        本体部、
３ｄ        減速装置、  
４          ベルト、
５          アーム、
６          ロッド、
６ａ，６ｂ  回転軸部、                  ６ｃ        揺動バー、
６ｄ        連結バー、
７          建設作業機、
８          反転対象物、
９          パレット。
【図１】
2018002372.tif 000003
【図２】
2018002372.tif 000004
【図３】
2018002372.tif 000005
【図４】
2018002372.tif 000006
【図５】
2018002372.tif 000007
【図６】
2018002372.tif 000008